(57)【要約】【課題】尿吸収パッドを帯状の保持バンドにて保持することで、尿吸収パッドの位置調整が容易である尿漏れ対策用パンツを提供する。【解決手段】パンツ本体２の上部に腰部周り開口部３を、下部に一対の脚周り開口部４をそれぞれ有する尿漏れ対策用パンツ１である。パンツ本体２は、前開き可能で、ファスナー５によって前開き状態と前閉じ状態とを選択的に取り得る。腰部周り開口部３の後側部分に、尿吸収パッド７を保持可能である帯状の保持バンド８の一端部が取り付けられている。保持バンド８の他端部と、腰部周り開口部３の前側部分との間に、前記他端部を前記前側部分に分離可能に結合する面ファスナー９が設けられている。【選択図】  図３
2014090835.tif 000002
【特許請求の範囲】
【請求項１】
パンツ本体の上部に腰部周り開口部を、下部に一対の脚周り開口部をそれぞれ有する尿漏れ対策用パンツであって、
前記パンツ本体は、前記腰部周り開口部の前側中央部分及びそれに連続する前側部分が左側部分と右側部分に分かれる前開き可能で、前記左側部分と前記右側部分とが第１結合手段によって分離可能に結合されることで、前記左側部分と前記右側部分とが左右に分かれる前開き状態と、前記左側部分と前記右側部分とが結合される前閉じ状態とを選択的に取り得る構成とされ、
前記腰部周り開口部の後側部分に、尿吸収パッドを保持可能である帯状の保持バンドの一端部が取り付けられ、
前記保持バンドは、前記パンツ本体の内面に沿って前記腰部周り開口部の前側部分まで配置可能である長さを有することを特徴とする尿漏れ対策用パンツ。
【請求項２】
前記保持バンドの他端部と、前記腰部周り開口部の前側部分との間には、前記保持バンドの他端部を前記腰部周り開口部の前側部分に分離可能に結合する第２結合手段が設けられている請求項１記載の尿漏れ対策用パンツ。
【請求項３】
前記左側部分と右側部分とに分かれるのは、前記腰部周り開口部及びそれに連続する前側部分に加えて、前記パンツ本体の後側部分の途中までである請求項１又は２に記載の尿漏れ対策用パンツ。
【請求項４】
前記保持バンドは、両側縁部に尿漏れ抑制部が形成されている請求項１〜３のいずれか１つに記載の尿漏れ対策用パンツ。
【請求項５】
前記保持バンドは、前記尿吸収パッドを保持する部分が幅広部となっている請求項１〜３のいずれか１つに記載の尿漏れ対策用パンツ。
【請求項６】
前記第２結合手段は、面的に着脱できる面ファスナーである請求項２記載の尿漏れ対策用パンツ。
【請求項７】
前記第２結合手段は、前記保持バンドの他端部に設けられるフックと、前記腰部周り開口部の前側部分に前記フックに対応して設けられ前記フックが係脱可能に係止されるループ部とを有する請求項２記載の尿漏れ対策用パンツ。
【請求項８】
前記第２結合手段は、凸部又は凹部を有し前記保持バンドの他端部に設けられる第１の部材と、前記腰部周り開口部の前側部分に前記凸部又は凹部に対応して設けられ前記凸部又は凹部が係脱可能に係止される凹部又は凸部を有する第２の部材とを有する請求項２記載の尿漏れ対策用パンツ。
【発明の詳細な説明】
【技術分野】
【０００１】
本発明は、介護などにおいて用いられる、尿吸収パッドの交換を容易とする尿漏れ対策用パンツに関するものである。
【背景技術】
【０００２】
使い捨てパンツとして、互いに対向する前後胴周り域と、それら胴周り域の間に位置する股下域と、胴周り開口および一対の脚周り開口とを有し、前胴周り域と股下域との横方向中央に中央開口が形成され、中央開口を開閉可能なシート状の被覆部材が取り付けられたものが知られている（特許文献１参照）。そのようなパンツでは、前記中央開口を閉じるために、被覆部材の周縁を中央開口の周縁に連結するのに、フックとループとから形成される機械式面ファスナーを用いている。
【０００３】
また、そのような機械式面ファスナーは止水性がないことから、機械式面ファスナーに代えて止水性のレールファスナーを用い、被覆部材の内面側に使い捨てパッドを取り付けるものも知られている（例えば特許文献２参照）。このレールファスナーは、中央開口の用側開口縁に固着された第１連続エレメントと、被覆部材の自由両側縁に固着された第２連続エレメントと、それらどうしを係脱可能なスライダーとから形成されている。
【先行技術文献】
【特許文献】
【０００４】
【特許文献１】特開平９−９５８０４号公報
【特許文献２】特開２００５−１２４５９４号公報
【発明の概要】
【発明が解決しようとする課題】
【０００５】
特許文献１，２に記載のものは、被覆部材の内面側に尿吸収パッド（補助吸収体）を配置するものであるため、吸収パッドを配置する位置の調整が困難である。
【０００６】
そこで、発明者は、前述したような中央開口部を被覆部材にて覆う構造とするのではなく、前開き構造とするとともに、尿吸収パッドを保持する保持バンドを用いることで、前記尿パッドの位置調整を容易とした尿漏れ対策用パンツを開発したものである。
【０００７】
本発明は、尿吸収パッドを帯状の保持バンドにて保持することで、尿吸収パッドの位置調整が容易である尿漏れ対策用パンツを提供することを目的とする。
【課題を解決するための手段】
【０００８】
請求項１の発明は、パンツ本体の上部に腰部周り開口部を、下部に一対の脚周り開口部をそれぞれ有する尿漏れ対策用パンツであって、前記パンツ本体は、前記腰部周り開口部及びそれに連続する前側部分が左側部分と右側部に分かれる前開き可能で、第１結合手段によって前記左側部分と前記右側部分とが左右に分かれる前開き状態と、前記左側部分と前記右側部分とが結合される前閉じ状態とを選択的に取り得る構成とされ、前記腰部周り開口部の後側部分に、尿吸収パッドを保持可能である帯状の保持バンドの一端部が取り付けられ、前記保持バンドは、前記パンツ本体の内面に沿って前記腰部周り開口部の前側部分まで配置可能である長さを有することを特徴とする。
【０００９】
このようにすれば、保持バンドを利用して尿吸収パッドの位置の調整を容易に行うことができる。
【００１０】
請求項２に記載のように、前記保持バンドの他端部と、前記腰部周り開口部の前側部分との間には、前記保持バンドの他端部を前記腰部周り開口部の前側部分に分離可能に結合する第２結合手段が設けられていることが望ましい。
【００１１】
このようにすれば、尿吸収パッドの位置調整後における保持バンドの位置を安定して保持させることができる。
【００１２】
請求項３に記載のように、前記左側部分と右側部分に分かれるのは、前記腰部周り開口部及びそれに連続する前側部分に加えて、前記パンツ本体の後側部分の途中までであることが望ましい。
【００１３】
このようにすれば、大きく前開きすることができ、尿吸収パッドの交換が容易になる。
【００１４】
請求項４に記載のように、前記保持バンドは、両側縁部に尿漏れ抑制部が形成されていることが望ましい。
【００１５】
このようにすれば、保持バンドの両側縁からの尿漏れを抑制することができる。
【００１６】
請求項５に記載のように、前記保持バンドは、前記尿吸収パッドを保持する部分が幅広部となっていることが望ましい。
【００１７】
このようにすれば、尿吸収パッドを安定して保持することができる。
【００１８】
これらの場合、前記第２結合手段は、請求項６記載のように、面的に着脱できる面ファスナーとしたり、請求項７に記載のように、前記第２結合手段は、前記保持バンドの他端部に設けられるフックと、前記腰部周り開口部の前側部分に前記フックに対応して設けられ前記フックが係脱可能に係止されるループ部とを有するものとしたり、請求項８に記載のように、凸部又は凹部を有し前記保持バンドの他端部に設けられる第１の部材と、前記腰部周り開口部の前側部分に前記凸部又は凹部に対応して設けられ前記凸部又は凹部が係脱可能に係止される凹部又は凸部を有する第２の部材とを有するものとすることができる。
【００１９】
このようにすれば、第２結合手段について、構造が簡単なものを用いることで、安価に製造できる。
【発明の効果】
【００２０】
本発明は、パンツ本体の腰部周り開口部の後側部分に帯状の保持バンドの一端部を取り付け、前記保持バンドが尿吸収パッドを保持するようにしているので、前記保持バンドを利用して尿吸収パッドの位置の調整を容易に行うことができる。
【図面の簡単な説明】
【００２１】
【図１】本発明の一実施の形態である尿漏れ対策用パンツを示す正面図である。
【図２】図１のＡ−Ａ線における断面図である。
【図３】前記尿漏れ対策用パンツの斜視図である。
【図４】（ａ）は保持バンドの説明図、（ｂ）は保持バンドの他の例の説明図である。
【図５】保持バンドの変形例の説明図である。
【図６】（ａ）（ｂ）は第２結合手段の他の例を示す説明図である。
【図７】第２結合手段の別の例を示す説明図である。
【発明を実施するための形態】
【００２２】
以下、本発明の実施の形態を図面に沿って説明する。
【００２３】
図１は本発明の一実施の形態である尿漏れ対策用パンツを示す正面図、図２は図１のＡ−Ａ線における断面図、図３は前記尿漏れ対策用パンツの斜視図である。
【００２４】
図１〜図３に示すように、尿漏れ対策用パンツ１は、パンツ本体２の上部に腰部周り開口部３を、下部に一対の脚周り開口部４をそれぞれ有する。これら開口部３，４の周囲には、弾性糸や弾性テープなどの弾性部材（図示せず）が設けられ、周知のようにウエストギャザーとレッグギャザーとが形成されている。
【００２５】
パンツ本体２は、腰部周り開口部３及びそれに連続する前側部分（パンツ本体２）が左側部分２Ｌと右側部分２Ｒに分かれる前開き可能である。左側部分２Ｌと右側部分２Ｒに分かれ前開き可能であるのは、腰部周り開口部３及びそれに連続する前側部分に加えて、パンツ本体２の後側部分の途中までである。
【００２６】
この左側部分２Ｌと右側部分２Ｒとは第１結合手段であるファスナー５によって分離可能に連結されており、(a)左側部分２Ｌと右側部分２Ｒとが左右に分かれる前開き状態と、(b)左側部分２Ｌと右側部分２Ｒとが結合される前閉じ状態とを選択的に取り得るようになっている。なお、腰部周り開口部３は、ファスナー５によって開閉される部分に対応して係止手段６（フック６Ａと、フック６Ａが引っ掛けられるフック止め部６Ｂ）が設けられている。
【００２７】
そして、腰部周り開口部３の後側部分に、尿吸収パッド７を保持可能である帯状の保持バンド８の一端部が取り付けられている。この一端部は、縫い付けることにより固定しているが、他の手段を用いて固定してもよいのはもちろん、面ファスナーなどの結合手段を用いて分離可能に取り付けることも可能である。
【００２８】
この保持バンド８は、図４（ａ）に示すように、帯状で、一様な幅を有する形状であるが、それに限定されるものではない。例えば図４（ｂ）に示す保持バンド８’のように、尿吸収パッド６を保持する保持部分８Ａの幅を、それの両側の部分よりも広くするようにしてもよい。保持部分８Ａの幅を部分的に広くすることで、尿吸収パッド６の、保持バンド８に直交する方向に保持部分８Ａを移動しやすくなり、尿吸収パッド６の位置の調整が容易になる。また、保持バンドを分離可能に取り付けることで、洗濯時に取り外して洗濯することができるし、保持バンドのみを交換することもできる。
【００２９】
保持バンド８は、パンツ本体２の内面に沿って腰部周り開口部３の前側部分まで配置可能である長さを有する。そして、保持バンド８の他端部と、腰部周り開口部３の前側部分との間には、前記他端部を前記前側部分に分離可能に結合する第２結合手段であって面的に着脱できる面ファスナー９が設けられている。この面ファスナー９は、保持バンド８側の部分９Ａ（例えばフック状に起毛された側）と腰部周り開口部３の前側部分側の部分９Ｂ（例えば、ループ状に密集して起毛された側）とを押し付けるとそれだけで貼り付くようになっている。よって、貼り付けたり剥がしたりすることが自在にできる。なお、前記面ファスナーとしては、前述したほか、フックとループとの両方が植え込まれており、フック面とループ面との区別のないタイプ（フック面とループ面との取り付け間違いが起きない）や、マッシュルーム状に起毛されていて結合力が強いクリックタイプ、鋸歯状のシャークバイト（鮫歯）タイプなどを用いることも可能である。
【００３０】
保持バンド８は、伸縮性を有する素材が好ましいが、非伸縮性を有する素材や防水性を有する素材とすることができるのはもちろんである。
【００３１】
尿漏れ対策用パンツ１を用いて尿吸収パッド６を装着する場合には、まず、腰部周り開口部３においてフック６Ａをフック止め部６Ｂから外し、続いてパンツ本体２の前側部分のファスナー５を下ろし、使用者が自力でできる場合には使用者がはく、あるいは介助が必要である場合には介助者が使用者にはかせる。
【００３２】
それから、保持バンド８の所定の部分（保持部分）に尿吸収パッド６をセットし、ファスナー５を引き上げ、保持バンド８の他端部を、腰部周り開口部３の前側部分から外側に引き出す。
【００３３】
保持バンド８の引き出した部分（他端部）を把持して、保持バンド８を動かし、使用者に対する尿吸収パッド６の位置を調整する。
【００３４】
調整終了後、面ファスナー９にて、保持バンド８の他端部を腰部周り開口部３の前側部分に分離可能に結合する。
【００３５】
このようにして、尿漏れ対策用パンツ１において、保持バンド８を利用して尿吸収パッド６の装着位置の調整を容易に行うことができる。
【００３６】
そして、保持バンド７の他端部と、腰部周り開口部３の前側部分とを面ファスナー８にて分離可能に結合しているので、パンツ本体２を前開き状態としたり前閉じ状態としたりするのを選択的に簡単に取り得るし、保持バンド８を利用して尿吸収パッド７の位置を調整した後における保持バンド８の位置が安定する。
【００３７】
第１結合手段としては、面ファスナー９を用いているので、第１結合手段について、市販の安価なものを用いることができ、安価に製造する上で有利となる。
【００３８】
なお、本明細書で使用している用語と表現は、あくまでも説明上のものであって、なんら限定的なものではなく、本発明の技術思想の範囲内で、種々の変形態様が可能であるこということはいうまでもない。例えば、次のように変更して実施することができる。
【００３９】
(i)前記保持バンドは、図５に示すように、両側縁部に、ギャザー、桟などの尿漏れ抑制部８Ｂを形成することもできる。これにより、保持バンドの両側縁からの尿漏れを抑制することができる。
【００４０】
(ii)前記第１結合手段としては、ファスナーを用いる構造に代えて、面ファスナー、スナップ、ホック、トグル、ボタンおよびボタンホール、紐および紐用ループなどの周知の結合手段を用いることもできる。
【００４１】
(iii)第２結合手段としては、面ファスナー９を用いる構造に代えて、例えば図６（ａ）（ｂ）に示すように、保持バンド８の他端部に設けられるフック１１ａと、腰部周り開口部３の前側部分にフック１１ａに対応して設けられフック１１ａが係脱可能に係止されるループ部１１ｂとを有する結合手段１１とするようにしてもよい。また、図７に示すように、凸部又は凹部を有し保持バンド８の他端部に設けられる第１の部材１２ｂと、腰部周り開口部３の前側部分に前記凸部又は凹部に対応して設けられ前記凸部又は凹部が係脱可能に係止される凹部又は凸部を有する第２の部材１２ａとを有する結合手段１２とすることもできる。これらの場合も同様に、安価に製造する上で有利となる。
【００４２】
(iv)パンツ本体２の後側部分全体や腰部周り開口部３の後側部分も分かれるようにして、することも可能である。つまり、尿漏れ対策用パンツ自体を左右に分割できるようにすることもできる。
【００４３】
(v)前記実施の形態では、脚周り開口部４が膝の上側に位置するショートパンツタイプの尿漏れ対策用パンツに適用した例について説明しているが、本発明はそれに限らず、長ズボン、ジャージ下などの、脚周り開口部４が膝の下側まで延び下半身のほぼ全体を覆う尿漏れ対策用パンツにも適用することができる。
【符号の説明】
【００４４】
１    尿漏れ対策用パンツ
２    パンツ本体
３    腰部周り開口部
４    脚部周り開口部
５    ファスナー（第１結合手段）
６    係止手段
７    尿吸収パッド
８，８’    保持バンド
８Ａ    保持部分
８Ｂ    尿漏れ抑制部
９    面ファスナー（第２結合手段）
【図１】
2014090835.tif 000003
【図２】
2014090835.tif 000004
【図３】
2014090835.tif 000005
【図４】
2014090835.tif 000006
【図５】
2014090835.tif 000007
【図６】
2014090835.tif 000008
【図７】
2014090835.tif 000009